(57)【要約】【課題】  ボール止水栓に連結し、加圧水を放出し、サドル付分水栓と配水管本管との連結部（分水栓穿孔部）に溜っている閉塞物を除去することができる配水管用閉塞物除去装置及び配水管閉塞物除去方法を提供する。【解決手段】  補給水槽付加圧ポンプと、加圧タンクと、補給水槽付加圧ポンプと加圧タンク間に設けた加圧開閉コックと、加圧タンクと加圧開閉コック間に設けた加圧コックと、補給水槽付加圧ポンプと加圧コック間に設けた調整コックと、加圧タンクと調整コック間に設けた圧抜開閉コックとからなることを特徴とする配水管用閉塞物除去装置。【選択図】図１
2007275858.tif 000002
【特許請求の範囲】
【請求項１】
補給水槽付加圧ポンプと、加圧タンクと、補給水槽付加圧ポンプと加圧タンク間に設けた加圧開閉コックと、加圧タンクと加圧開閉コック間に設けた加圧コックと、補給水槽付加圧ポンプと加圧コック間に設けた調整コックと、加圧タンクと調整コック間に設けた圧抜開閉コックとからなることを特徴とする配水管用閉塞物除去装置。
【請求項２】
加圧タンク内の圧力を、３°〜４°ＭＰａとすることを特徴とする請求項１記載の配水管用閉塞物除去装置。
【請求項３】
上記配水管用閉塞物除去装置をボール止水栓に連結し、加圧水を放出し、サドル付分水栓と配水管本管との連結部に溜っている閉塞物を除去する配水管閉塞物除去方法。
【発明の詳細な説明】
【技術分野】
【０００１】  本発明は、ボール止水栓に連結し、加圧水を放出し、サドル付分水栓と配水管本管との連結部（分水栓穿孔部）に留まっている閉塞物を除去する配水管用閉塞物除去装置及び配水管閉塞物除去方法に関するものである。
【背景技術】
【０００２】  現状の施工としては、例えば長期間売れない団地等で多く発生しているトラブルで、道路の舗装を切断し、取り壊し、掘削した後、連結部（分水栓穿孔部）を再穿孔し、埋め戻し、再舗装しているため、多大な労力及び費用、時間を要し、見栄えも悪い。（図面が紛失し、位置が分からないことがある。）【０００３】  従来の技術として同様なものはないが、埋設される上水道の本管に分水栓が固設され、該分水栓より支管が敷地内に延設され、該支管の先端に止水栓、量水器等が設けられた給水系において、該分水栓より突出する栓棒に歯車を固着し、両端部にピストンが設けられ中間部に前記歯車に噛合するラック歯が形成されたスピンドルをシリンダ内に進退動自在に設けるとともに、敷地内に設けられた操作ボックスに四方切換弁を設け、一対の耐圧性チューブを前記シリンダから該操作ボックスに延設して該各チューブの先端を該四方切換弁に連結し、該各チューブが該四方切換弁の切換操作により手押式ポンプに連結または大気中に開放されるようにし、該手押式ポンプにより該各チューブを介して前記ピストンに水圧を掛けることにより前記スピンドルを進退動させ前記分水栓を開閉し得るようにしたことを特徴とする分水栓の遠隔操作装置がある。（特許文献１参照）【０００４】  また、別の従来技術として同様なものではないが、パイプ内に研磨材を含む気体を通過させてクリーニングする方法であって、少なくとも予め研磨材と圧縮空気等の気体を加熱して、過熱された研磨材を含む気体をパイプ内面に吹き付け移動させながらクリーニングすることを特徴とするパイプのクリーニング方法がある。（特許文献２参照）
【特許文献１】  特開２００４−２１８３３４号公報
【特許文献２】  特開平５−２８０号公報
【発明の開示】
【発明が解決しようとする課題】
【０００５】  上記前者は、年月を経ても錆や浸水、地圧等のために操作不能となることなく、何時でも分水栓を閉止することができるようにし、地域的な断水を伴うことなく支管等の漏水事故の復旧を可能にすることを目的としなるもので、本発明と作用・効果が異なるものである。【０００６】  上記後者は、水道管、ガス管などのパイプの内面にできた錆、その他の付着物を除去するためにパイプ内に研磨材を含む圧縮空気などの気体を通過させてクリーニングを行うとき、研磨作業後の熱風によるパイプ内面の乾燥作業を省略して、クリーニング施工時間を短縮するものであり、これもまた、本発明と作用・効果が異なるものである。【０００７】  本発明は、このような従来の構成が有した問題を解決しようとするものであり、ボール止水栓に連結し、加圧水を放出し、サドル付分水栓と配水管本管との連結部（分水栓穿孔部）に溜っている閉塞物を除去することができる配水管用閉塞物除去装置及び配水管閉塞物除去方法を提供することを目的とする。
【課題を解決するための手段】
【０００８】  本発明は、上記目的を達成するために、配水管用閉塞物除去装置として補給水槽付加圧ポンプと、加圧タンクと、補給水槽付加圧ポンプと加圧タンク間に設けた加圧開閉コックと、加圧タンクと加圧開閉コック間に設けた加圧コックと、補給水槽付加圧ポンプと加圧コック間に設けた調整コックと、加圧タンクと調整コック間に設けた圧抜開閉コックとからなる。
また、加圧タンク内の圧力を、３°〜４°ＭＰａとすることを特徴とする。
そして、上記配水管用閉塞物除去装置をボール止水栓に連結し、加圧水を放出し、サドル付分水栓と配水管本管との連結部に溜っている閉塞物を除去する配水管用閉塞物除去方法を提供する。
【発明の効果】
【０００９】１）、補給水槽付加圧ポンプと、加圧タンクと、加圧開閉コックと、加圧コックと、圧抜き開閉コックとから構成される配水管用閉塞物除去装置により、加圧水にて誰でも簡単に、しかも確実に連結部（分水栓穿孔部）の閉塞物を破壊除去できる。
２）、特に、加圧タンクの圧力を３°〜４°ＭＰａとすることにより、より確実に閉塞物を破壊、除去できる。
３）、配水管閉塞物除去方法においては、配水管用閉塞物除去装置をボール止水栓に連結し、加圧水を放出し、サドル付分水栓と配水管本管との連結部（分水栓穿孔部）の閉塞物を破壊、除去するもので、特殊な技術を必要とすることなく、かつ短時間で作業することができる。
４）、加圧コックを閉め、圧抜開閉コックを開くことにより、閉塞物の除去の有無が確認できる。
５）、道路の舗装を切断し、掘削し、作業終了後は埋め戻し、再舗装等の工程を必要としないため、費用を抑えることができると共に、見栄えもよい。
【発明を実施するための最良の形態】
【００１０】  １は、配水管用閉塞物除去装置である。
２は、適度な量の水ＭＺを入れてなる補給水槽である。
３は、上記補給水槽２に連結してなる補給水槽付加圧ポンプである。
４は、上記補給水槽付加圧ポンプ３に連結してなる加圧タンクで、加圧タンク内の圧力を３°〜４°Ｍｐａとするのが望ましい。
５は、上記補給水槽付加圧ポンプ３と加圧タンク４間に設けた加圧開閉コックである。
６は、上記加圧タンク４と加圧開閉コック５間に設けた加圧コックである。
７は、上記補給水槽付加圧ポンプ３と加圧コック６間に設けた調整コックである。
８は、上記加圧コック６と調整コック７間に設けた圧抜開閉コックである。【００１１】  上記配水管用閉塞物除去装置１を使用してなる配水管閉塞物除去方法について説明する。
まず、配水管用閉塞物除去装置１の加圧開閉コック５をホースＨを介して団地における民地Ｍ内にあるボール止水栓ＢＳに連結する。
この状態で配水管用閉塞物除去装置１の補給水槽２に適量の水ＭＺを入れる。
つぎに、加圧コック６及び調整コック７を開き、補給水槽付加圧ポンプ３を作動させ、加圧タンク４内に水を入れる。（この時、加圧タンク４内の圧力を３°〜４°Ｍｐａとする。）
つづいて、調整コック７及び圧抜開閉コック８を閉じ、加圧開閉コック５を開き、ホースＨを介してボール止水栓ＢＳを通ってサドル付分水栓ＳＴと配水管本管ＨＫとの連結部Ｌ（分水栓穿孔部）に溜っている閉塞物ＨＢを加圧水ＫＳにて破壊し、除去する。
その後、加圧コック６を閉め、圧抜開閉コック８を開いて除去の状態を確認ができる。（水が流れてくれば、貫通している。）【００１２】  上記実施例において、加圧タンクの大きさや材質等は特に限定するものではなく、補給水槽付加圧ポンプの能力も必要に応じて決めればよい。
【図面の簡単な説明】
【００１３】
【図１】  本発明の一実施例を示す配水管用閉塞物除去装置の構成図。
【図２】  本発明の一実施例を示す配水管用閉塞物除去装置における配水管閉塞物除去方法を示す使用状態図。
【符号の説明】
【００１４】１−−−配水管用閉塞物除去装置
２−−−補給水槽
３−−−補給水槽付加圧ポンプ
４−−−加圧タンク
５−−−加圧開閉コック
６−−−加圧コック
７−−−調整コック
８−−−圧抜開閉コック
Ｄ−−−公道
Ｍ−−−民地
Ｈ−−−ホース
ＢＳ−−ボール止水栓
ＭＺ−−水
ＳＴ−−サドル付分水栓
ＨＫ−−配水管本管
Ｌ−−−連結部
ＨＢ−−閉塞物
ＫＳ−−加圧水
【図１】
2007275858.tif 000003
【図２】
2007275858.tif 000004